(57)【特許請求の範囲】
【請求項１】
スピンドルモータを駆動するモータドライバＩＣと、該モータドライバＩＣを介しスピンドルモータの駆動を制御するＦＤＤ装置用ＩＣと、該ＦＤＤ装置用ＩＣに設けられて、前記モータドライバＩＣのインデックス信号出力端子から線路を通して前記スピンドルモータのインデックス信号を受けるインデックス信号入力端子とを有し、電源投入後の一定時間は、前記線路とアースとの間に接続されたジャンパランドのオン／オフ状態にもとづき、前記インデックス信号入力端子に対して前記ＦＤＤ装置用ＩＣにて設定されるべき二つのモードのうち一方のモードのモード設定用信号の入力を行い、前記一定期間経過時点で、前記モータドライバＩＣから出力される前記インデックス信号を前記インデックス信号入力端子に入力することを特徴とするＦＤＤ装置。
【請求項２】
前記電源投入後の一定期間は、前記モータドライバＩＣの出力をハイインピーダンスに保持することを特徴とする請求項１に記載のＦＤＤ装置。
【請求項３】
前記二つのモードが、前記インデックス信号入力端子に印加される２種類の電圧によって与えられることを特徴とする請求項１に記載のＦＤＤ装置。
【請求項４】
前記ジャンパランドとアースとの間に、前記二つのモードのうち一つのモードを設定するための中間電位を与える抵抗が接続されていることを特徴とする請求項１に記載のＦＤＤ装置。
【請求項５】
電源投入後の一定時間経過後に、前記ＦＤＤ装置用ＩＣの制御のもとで、前記スピンドルモータによって駆動されるＦＤに対してデータの書き込みを行うヘッドと、該ヘッドの位置をシークするためのステッピングモータとを有することを特徴とする請求項１に記載のＦＤＤ装置。
【発明の詳細な説明】
【０００１】
【発明の属する技術分野】
本発明は、ＦＤＤ装置用ＩＣ（フロッピディスクドライブ装置用集積回路）のインデックス信号入力端子をモード設定端子と兼用するＦＤＤ装置に関する。
【０００２】
【従来の技術】
ＦＤＤ（フロッピディスクドライブ）装置は、例えば図３に示すように、ホスト（図示しない）に対しホストＩ／Ｆを介して接続されたＦＤＤ装置用ＩＣとしてのメカコントロールＩＣ１０１と、このメカコントロールＩＣ１０１の制御下で動作するスピンドルモータ駆動用のモータドライバＩＣ１０２と、このモータドライバＩＣ１０２からのドライブ出力により駆動されるスピンドルモータ１０３と、ＦＤ（フロッピディスク）に対するデータの読み書きを行うヘッド１０４と、このヘッド１０４の位置を高精度にシークするためのステッピングモータ１０５とを有している。
【０００３】
また、このＦＤＤ装置用ＩＣであるメカコントロールＩＣ１０１は、このメカコントロールＩＣ１０１内各部の回路に供給する電源電圧を常時監視する電源電圧監視部１０６と、回路各部の動作タイミングの基準となるクロック信号を出力するクロック回路１０７と、モータドライバＩＣ１０２によりスピンドルモータ１０３の駆動を制御するコントロール回路１０８とを有している。
【０００４】
このコントロール回路１０８は、外部指令によってスピンドルモータ１０３を駆動および駆動停止するためのオン、オフ信号、回転数切換信号およびクロック信号をモータドライバＩＣ１０２に供給しており、また、スピンドルモータ１０３からモータドライバＩＣ１０２のインデックス信号出力端子１０２ａを通じてＦＤにおけるデータ書き込み等のスタート点などを決めるためのインデックス信号を、メカコントロールＩＣ１０１のインデックス信号入力端子１０１ａに取り込んで、ホストＩ／Ｆを介して、ホストへ供給している。
【０００５】
リード／ライト部１０９はメカコントロールＩＣ１０１に設けられて、ヘッド１０４によりＦＤ上の情報を読み書きするように機能する。また、このメカコントロールＩＣ１０１には、ヘッド１０４の位置をシークするためのステッピングモータ１０５のステッピングモータドライバ部１１０が設けられて、これが前記コントロール回路１０８の制御下でステッピングモータ１０５を駆動制御する。なお、メカコントロールＩＣ１０１のドライブ仕様設定端子であるモード設定端子１０１ｂと接地との間には、ＦＤＤ用ＩＣの二つのモードのうち一つのモードを設定するための、例えばＦＤの種類に応じたドライブ仕様を設定するためのジャンパランド１１１が接続されている。このジャンパランド１１１は、これを構成する半田の二つのランド部を溶着することにより電気的に導通可能とされており、線路を介してメカコントロールＩＣ１０１に設けられた前記ドライブ仕様設定端子としてのモード設定端子１０１ｂを通じてコントロール回路１０８に接続されている。
【０００６】
次に前記構成のＦＤＤ装置の動作について説明する。
ＦＤＤ装置に対する電源の投入が行われて一定の電圧に達すると、電源電圧監視部１０６はＦＤＤ装置用ＩＣとしてのメカコントロールＩＣ１０１の回路各部のリセットを解除する。このため、コントロール回路１０８はホストＩ／Ｆを介してホストから入力される命令に従って、スピンドルモータ１０３を駆動するためのオン／オフ信号、回転数切換信号およびクロック信号をモータドライバＩＣ１０２へ供給する。これにより、スピンドルモータ１０３は所定の回転数および所定の同期タイミングで駆動制御される。また、コントロール回路１０８はヘッド１０４の位置を正確にシークするようにステッピングモータ１０５の駆動を制御する。
【０００７】
さらに、コントロール回路１０８は、ＦＤにおけるデータ書き込み等のスタート点などを決めるスピンドルモータ１０３からのインデックス信号を、メカコントロールＩＣ１０１の一つのインデックス信号入力端子１０１ａから取り込んでホストへ供給する。リード／ライト部１０９は前記シークしたＦＤ上の領域に対して情報の読み書きを行う。一方、ジャンパランド１１１は、溶着、非溶着によって前記メカコントロールＩＣ１０１のモード設定端子１０１ｂに二つの電位を設定できる。従って、これらの二つの電位を、二つのモード設定のための、例えばフロッピディスクの種類（記録密度）に応じた電位として利用することができる。
【０００８】
【発明が解決しようとする課題】
しかしながら、このような従来のＦＤＤ装置にあっては、ＦＤＤ装置用ＩＣであるメカコントロールＩＣに対し、前記モード設定のためのモード設定端子１０１ｂとインデックス信号を受けるインデックス信号入力端子１０１ａとを別々に設ける必要があり、このためメカコントロールＩＣの入出力端子（ピン）数の増加と、これらの端子に接続される配線数の増加とを招き、狭い配線領域への配線作業が煩雑化するという問題があった。
【０００９】
本発明はこのような従来の問題を解決するものであり、その目的とするところは、インデックス信号入力端子をインデックス信号入力用およびモード設定用の端子として共通に利用することで、ＦＤＤ装置用ＩＣに設けられる入出力端子数の削減およびこの入出力端子に接続される配線数の削減と、配線作業の容易化を図ることができるＦＤＤ装置を提供することにある。
【００１０】
【課題を解決するための手段】
前記目的を達成するために、本発明にかかるＦＤＤ装置は、スピンドルモータを駆動するモータドライバＩＣと、該モータドライバＩＣを通してスピンドルモータの駆動を制御するＦＤＤ装置用ＩＣと、該ＦＤＤ装置用ＩＣに設けられて、前記モータドライバＩＣのインデックス信号出力端子から線路を通して前記スピンドルモータのインデックス信号を受けるインデックス信号入力端子とを有し、電源投入後の一定時間は、前記線路とアースとの間に接続されたジャンパランドのオン／オフ状態にもとづき、前記インデックス信号入力端子に対して前記ＦＤＤ装置用ＩＣにて設定されるべき二つのモードのうち一方のモードのモード設定用信号の入力を行い、前記一定期間経過時点で、前記モータドライバＩＣから出力される前記インデックス信号を前記インデックス信号入力端子に入力するようにしている。
【００１１】
この態様によれば、電源投入後の一定時間内にインデックス信号入力端子に入力されるモード設定用信号により、ドライブ仕様である例えばＦＤの磁気媒体密度にもとづく回路定数などのモード変更を可能にし、一方、一定期間経過後は、そのインデックス信号入力端子を直ちにスピンドルモータからのインデックス信号の取り込みに利用可能にしている。
【００１２】
また、本発明にかかるＦＤＤ装置は、電源投入後の一定期間は、前記モータドライバＩＣの出力をハイインピーダンスに保持するようにしている。
【００１３】
この態様によれば、前記一定期間内では、モータドライバＩＣから出力されるインデックス信号が、ジャンパランドによってモード設定されてインデックス信号入力端子に入力されるモード信号に影響するのを防止し、ＦＤＤ装置用ＩＣでのモード設定動作を確実に行えるようにしている。
【００１４】
また、本発明にかかるＦＤＤ装置は、前記二つのモードがインデックス信号入力端子に印加される２種類電圧によって与えられるようにしている。
【００１５】
この態様によれば、二つのモードの選択を、ジャンパランドによる線路の開路および短絡による電位変化に応じて設定されるような簡素な回路構成および作業によって極めて簡単、確実に行えるようにしている。
【００１６】
また、本発明にかかるＦＤＤ装置は、前記ジャンパランドとアースとの間に、前記二つのモードのうち一つのモードを設定するための中間電位を与える抵抗を接続している。
【００１７】
この態様によれば、ＦＤＤ装置用ＩＣのインデックス信号入力端子への入力をレベルの異なる３ステートとすることができ、これによりモード設定機能をこのインデックス信号入力端子を利用して容易に実現可能にしている。
【００１８】
また、本発明にかかるＦＤＤ装置は、ＦＤに対してデータの書き込みを行うヘッドと該ヘッドの位置をシークするためのステッピングモータとを設けている。
【００１９】
この態様によれば、一定時間経過後のＦＤＤ装置本来の動作において、スピンドルモータによって駆動されるＦＤに対してヘッドによりデータの読み書きを行わせるとともに、ステッピングモータによりそのヘッドの位置をシークさせて、情報の記録、再生を高精度に行えるようにしている。
【００２０】
【発明の実施の形態】
以下、本発明の実施の一形態を図について説明する。図１は本発明のＦＤＤ装置を示すブロック図であり、これが図３に示したものと異なるところは、モータドライバＩＣ２のインデックス信号出力端子２ａと、ＦＤＤ装置用ＩＣとしてのメカコントロールＩＣ１のインデックス信号入力端子１ａとを線路３により接続し、この線路３において、前記インデックス信号出力端子２ａと、前記インデックス信号入力端子１ａとアースとの間に、抵抗４を介してジャンパランド５を接続した点である。なお、このほかの図２に示したものと同一の構成部分には同一符号を付して、その重複する説明を省略する。
【００２１】
この実施の形態にあっては、まず、電源投入直後の一定期間を、リセットホールドタイムと予め決めておく。この一定期間は、後述のモード設定を行うために必要とされる十分な期間であり、この期間はクロックパルスをカウントするタイマによって任意に設定される。また、このようなリセットホールドタイムでは、モータドライバＩＣ２の出力はハイインピーダンスに設定され、ＦＤＤ装置用ＩＣであるメカコントロールＩＣ１のコントロール回路１０８は、このハイインピーダンスとされるリセットホールドタイムがモード設定のための時間帯であると認識する。そして、この時間帯において、メカコントロールＩＣ１は、ＦＤＤ装置製造時におけるジャンパランド５の設定がショートかまたはオープンかを、インデックス信号入力端子１ａに入力される電圧レベルにもとづいて判断する。つまり、このショートまたはオープンに応じた電圧レベルに従って、メカコントロールＩＣ１は、二つの設定モードのうちの一つを選択して、この選択したドライブ仕様である設定モードでＦＤＤ装置を動作させる。
【００２２】
この場合において、ジャンパランド５は抵抗４を介して接地されている。従って、ジャンパランド５のオープンおよびショートに応じて、インデックス信号入力端子１ａの電位は２値に変化するものの、ショート時の電位は０ボルトまたはこの０ボルト近くまでは低下せずに、図２に示すように、オープン時の電圧（例えば３．３３〜５Ｖ（Ｖｃｃ））と接地電位（例えばＯ（ＧＮＤ）〜１．６７Ｖとの間の中間レベルの電位（１．６７〜３．３３Ｖ）を示すこととなる。
【００２３】
こうして、リセットホールドタイムとしての一定期間が終了すると、それ以降は、前記選択した設定モードにて、ＦＤＤ装置の動作およびインデックス信号の取込みが行われる。そして、このリセットタイムの終了によって、メカコントロールＩＣ１はノーマルモードに移行するとともに、モータドライバＩＣ２の出力のハイインピーダンス状態が解除される。このため、インデックス信号入力端子１ａは通常のＦＤＤ装置駆動状態での信号入力端子として機能し、スピンドルモータ１０３の回転によって得られるハイ（Ｈｉｇｈ）およびロー（Ｌｏｗ）のインデックス信号が、インデックス信号入力端子１ａに入力される。つまり、インデックス信号が入ってきたか入ってこないかの判断が行われる。このように、本発明では、インデックス信号入力端子とモード設定用端子を別々に設けずに、インデックス信号入力端子１ａをモード設定端子として利用することで、メカコントロールＩＣ１に設けられる端子数を削減できる。従って、モード設定機能を多種類持つメカコントロールＩＣ１の場合には、この端子数削減による配線数および作業工数の削減、並びに配線コストの低減を共に図ることができる。
【００２４】
【発明の効果】
以上のように、本発明によれば、電源投入後の一定時間は、前記線路とアースとの間に接続されたジャンパランドのオン／オフ状態にもとづき、前記インデックス信号入力端子に対してＦＤＤ装置用ＩＣにて設定されるべき二つのモードのうち一方のモードのモード設定用信号の入力を行い、前記一定期間経過時点で、前記モータドライバＩＣが出力するインデックス信号を前記インデックス信号入力端子に入力するようにしたので、インデックス信号入力端子をインデックス信号入力用およびモード設定用の端子として共通に利用することで、ＦＤＤ装置用ＩＣに設けられる入出力端子数の削減およびこの入出力端子に接続される配線数の削減と、配線作業の容易化とを共に実現できるという効果が得られる。
【００２５】
また、この発明によれば、前記電源投入後の一定期間は、前記モータドライバＩＣの出力をハイインピーダンスに保持させるようにしたので、モータドライバＩＣから出力されるインデックス信号が、ジャンパランドによってモード設定されインデックス信号入力端子に入力されるモード信号に影響するのを防止でき、これによりＦＤＤ装置用ＩＣでのモード設定動作を確実にできるという効果が得られる。
【００２６】
また、この発明によれば、前記二つのモードを前記インデックス信号入力端子に印加される２種類の電圧によって与えるようにしたので、二つのモードの選択を、ジャンパランドによる線路の開路および短絡による電位変化に応じて設定されるような簡素な回路構成および作業によって、極めて簡単、確実に行えるという効果が得られる。
【００２７】
また、この発明によれば、前記ジャンパランドとアースとの間に、前記二つのモードのうち一つのモードを設定するための中間電位を与える抵抗を接続したことにより、ＦＤＤ装置用ＩＣのインデックス信号入力端子への入力をレベルの異なる３ステートとすることができ、これによりモード設定機能をこのインデックス信号入力端子を利用して容易に実現できるという効果が得られる。
【００２８】
また、この発明によれば、ＦＤに対してデータの書き込みを行うヘッドと、該ヘッドの位置をシークするためのステッピングモータとを設けたことで、スピンドルモータによって駆動されるＦＤに対してヘッドによりデータの読み書きを行わせるとともに、ステッピングモータによりそのヘッドの位置をシークさせて、情報の記録、再生を高精度に実施できるという効果が得られる。
【図面の簡単な説明】
【図１】  この発明の実施の一形態によるＦＤＤ装置を概念的に示すブロックである。
【図２】  この発明におけるジャンパランドによるモード設定状況を示す説明図である。
【図３】  従来のＦＤＤ装置を示すブロック図である。
【符号の説明】
１  メカコントロールＩＣ（ＦＤＤ装置用ＩＣ、フロッピディスクドライブ装置用集積回路）
１ａ  インデックス信号入力端子
２  モータドライバＩＣ
２ａ  インデックス信号出力端子
３  線路
４  抵抗
５  ジャンパランド
１０３  スピンドルモータ
１０４  ヘッド
１０５  ステッピングモータ
【図１】
0003758931.tif 000002
【図２】
0003758931.tif 000003
【図３】
0003758931.tif 000004